(57)【要約】      （修正有）【課題】かごが混雑している時に、エレベータホールからの乗車、あるいはかご奥からの降車をスムーズに行えるように案内を行う安価なエレベータの制御装置を提供する。【解決手段】エレベータがドア３１を開けて停止しており、かご２内の荷重が所定の範囲内にあり、かご２内の戸開ボタン３５が押されており、ドアセンサ３２に反応が無い状態が所定時間継続した場合に、かご２の出入り口付近を開けるように案内を行う構成とした。これにより、かご２が混雑している時のエレベータ利用者の乗降をスムーズに行える。【選択図】図１
2006225096.tif 000002
【特許請求の範囲】
【請求項１】
複数の階床をサービスする乗りかごと、前記乗りかごに備えられた戸開ボタンと、前記乗りかご内の荷重を検出する装置と、ドアが開いている時にドアの開口部に乗客や荷物などの遮蔽物が存在することを検出するドアセンサを備えたエレベータにおいて、エレベータがドアを開けて停止しており、前記荷重を検出する装置によって検出される前記乗りかご内の荷重が所定の範囲内で、かつ前記戸開ボタンが押されており、かつ前記ドアセンサによる遮蔽物の検出がない状態が所定時間以上継続した場合に、乗りかごの出入り口付近を開けるように案内する案内装置を備えたことを特徴とするエレベータ制御装置。
【発明の詳細な説明】
【技術分野】
【０００１】
本発明は複数の階床をサービスするエレベータにおいて、乗りかご内が混雑している時に乗降がスムーズに行えるように案内をする技術に関するものである。
【背景技術】
【０００２】
従来技術１として特開平６−１５６９０１号公報がある。この公報は、エレベータホールの乗客を検出する装置とかご内の荷重を検出する装置を設け、ドアが開いた時に、荷重が所定の範囲内にあり、エレベータホールに乗客がいることを検出すると、乗客に詰め合わせるように案内する例が開示されている。
【０００３】
また、従来技術２として特開平６−１８３６５６号公報がある。この公報には、行き先階呼びの発生とその発生順序を記録し、かご内が混雑しており、最新以外の行き先階呼びに応答した場合は、かご奥の乗客が降車することを予測し、かご内に降り客がいることを案内する例が開示されている。
【０００４】
【特許文献１】特開平６−１５６９０１号公報
【特許文献２】特開平６−１８３６５６号公報
【発明の開示】
【発明が解決しようとする課題】
【０００５】
しかし、上記従来技術１は、乗客に詰め合わせるように案内するために、エレベータホールの乗客を検出する装置を設けなければならないという問題があった。
【０００６】
また、上記従来技術２は、かご奥の乗客はかご手前にいる乗客よりも先に行き先階呼びを登録しており、更にかご奥の乗客がかご手前にいる乗客よりも手前の階で降りる場合に有効である。しかし、例えば、オフィスビルの退勤時に最上階から複数の乗客が乗り込み、１階の行き先階呼びを登録した後に、２階の行き先階呼びを登録したとする。その後、各階からたくさんの乗客が乗り込んだが全員の目的階が１階だったとすると、２階の行き先階呼びが最新の行き先階呼びになるため、かご奥にいる２階で降りたい乗客が２階で降りる時には、案内ができないと言う問題があった。また、行き先階呼びを登録せずにかご奥まで進み、その後口頭で行き先階呼びの登録を他の乗客に依頼した場合は、かご奥の乗客の行き先階呼びが最新になる場合があり、その場合もかご奥の乗客が降りる時には案内ができないと言う問題があった。
【０００７】
本発明の目的は、上記問題に鑑みなされたもので、かごが混雑している時に、エレベータホールからの乗車、あるいはかご奥からの降車をスムーズに行えるように案内を行う安価なエレベータの制御装置を提供することにある。
【課題を解決するための手段】
【０００８】
本発明に係わるエレベータの制御装置は、エレベータがドアを開けて停止しており、かご内の荷重が所定の範囲内にあり、かご内の戸開ボタンが押されており、ドアセンサに反応が無い状態が所定時間継続した場合に、乗りかごの出入り口付近を開けるように案内することを特徴とするものである。
【発明の効果】
【０００９】
本発明によれば、簡単な構成で、乗りかご内が混雑している時に乗降をスムーズに行うための案内を行うことができるエレベータ装置を提供することができる。
【発明を実施するための最良の形態】
【００１０】
以下、本発明の一実施形態を図１，図２を用いて説明する。
【００１１】
図１は本発明の全体構成を表す図である。図２は乗りかご内を表す図である。昇降路
１０内に乗りかご２が各乗り場１１，１２，１３をサービスしている。図示していないが各階乗り場にはエレベータの呼びボタンがあり、かご内には行き先階呼びボタン３４１，
３４２，３４３がある。さらに、各階にはそれぞれ乗り場側のドア１１１,１２１,１３１が設置してあり、かごドア３１と係合してドア駆動装置３にてドアを開くことができる。かごドア３１の内部にはドアセンサ３２が内蔵されており、ドアセンサ３２は光線３３を投光することによって遮蔽物があるかどうかを検出している。図２では例として光線３３が２本の場合で描いたが、特に光線の本数を制限するものではない。また、光線の代わりに赤外線を用いても良い。かご２内にはドアを開くためのボタン３５と、ドアを閉めるためのボタン３６がある。かご２上部には音声案内装置４が設置されており、「上へ参ります」などの各種の案内を放送する。かご２下部にはかご内荷重検出装置５が設置されている。かご内の呼び情報やドアの情報やかご内荷重の情報，音声案内の情報などは、移動ケーブル６１により制御装置６に接続されている。
【００１２】
次に本発明の第１の実施例の乗りかご内が混雑している時に乗車をスムーズに行うための案内を行う方法について、図３を用いて説明する。
【００１３】
到着したエレベータが混雑していた場合、既に乗車している乗客に少し詰めてもらえば乗り込めるが、詰めてくれないため、乗車をためらうことがある。このように乗車をためらっている場合は人の出入りがない。人の出入りがないことはドアセンサ３２によって検出することができる。また、かご内のドアの付近に立っている乗客は、これから乗り込もうとしている乗客のために戸開ボタン３５を押しているものである。また、かご内荷重検出装置５の値からかご内がどの程度混雑しているかは判断することができる。
【００１４】
本発明はこれらの点に着目し、エレベータが停止しており、ドアが開いていて、かご内荷重が所定の範囲内にあり（例えば定員の５０％から８０％の荷重）、戸開ボタン３５が押されており、ドアセンサ３２の反応がないという５つの条件が同時に所定時間（例えば３秒）以上成り立った時に、混雑しているために乗車をためらっているものと判断し、
「お出口を少々おあけください」といった乗降をスムーズに行わせるための案内を音声案内装置４で放送する。
【００１５】
戸開ボタン３５とかご内荷重検出装置５は通常エレベータに備えられているものであり、ドアセンサ３２と音声案内装置４はエレベータに備えられていることが多いものである。よって、エレベータホールの乗客検出装置のような特別な装置を備えなくても、乗りかご内が混雑している時の乗車をスムーズに行うための案内を安価に行うことができる。
【００１６】
次に、本発明の第２の実施例の乗りかご内が混雑している時に降車をスムーズに行うための案内を行う方法について、図３を用いて説明する。
【００１７】
混雑した状態で自分が降りる階に到着したが、他の乗客は降りず、自分は乗りかごの奥にいるため、他の乗客が進路の妨げになり、降車がスムーズに行えないことがある。このような場合、他の乗客は降りないためドアセンサ３２の反応は無い。また、かご内のドアの付近に立っている乗客は、これから降りようとしている乗客のために戸開ボタン３５を押しているものである。また、かご内荷重検出装置５の値からかご内がどの程度混雑しているかは判断することができる。
【００１８】
本発明はこれらの点に着目し、エレベータが停止しており、ドアが開いていて、かご内荷重が所定の範囲内にあり（例えば定員の５０％から８０％の荷重）、戸開ボタン３５が押されており、ドアセンサ３２の反応がないという５つの条件が同時に所定時間（例えば３秒）以上成り立った時に、混雑しているために降車がスムーズに行えないものと判断し、「お出口を少々おあけください」といった乗降をスムーズに行わせるための案内を音声案内装置４で放送する。この放送条件は本発明の第１の実施例と同じ放送条件なので、放送文は「お出口を少々おあけください」といった乗り降りのどちらの場合でも意味が通じる内容にする必要がある。
【図面の簡単な説明】
【００１９】
【図１】本発明の一実施形態の全体構成図。
【図２】乗りかご内を表す図。
【図３】本発明の動作を示すフローチャート。
【符号の説明】
【００２０】
２…乗りかご、３…ドア駆動装置、４…音声案内装置、５…かご内荷重検出装置、６…制御盤、１０…昇降路、１１，１２，１３…乗り場置、３１…かごドア、３２…ドアセンサ、３３…ドアセンサの光線、３５…戸開ボタン、３６…戸閉ボタン、６１…移動ケーブル、１１１，１２１，１３１…乗り場ドア、３４１，３４２，３４３…行き先階呼びボタン。
【図１】
2006225096.tif 000003
【図２】
2006225096.tif 000004
【図３】
2006225096.tif 000005